(57)【特許請求の範囲】
【請求項１】
電源スイッチと、制御スイッチと、緊急停止スイッチとを設けており、
上記電源スイッチが操作されたときには、所定の制御可能時間の間は、電源を駆動状態に保持して、その制御可能時間の間に、上記制御スイッチが操作されたときには、制御対象機器の動作に対応したワイヤレス信号を送信する制御動作を可能にする一方、
上記緊急停止スイッチが操作されたときには、電源を自動的に立ち上げて、緊急停止制御のワイヤレス信号を送信する緊急制御を可能にする構成としているワイヤレス発信器。
【請求項２】
電源スイッチと、制御スイッチとを設けており、
上記電源スイッチが操作されたときには、所定の制御可能時間の間は、電源を駆動状態に保持して、その制御可能時間の間に、上記制御スイッチが操作されたときには、制御対象機器の動作に対応したワイヤレス信号を送信する制御動作を可能にする一方、
上記電源スイッチが操作されていない電源未投入状態で、上記制御スイッチが操作されたときには、電源を自動的に立ち上げて、緊急停止制御のワイヤレス信号を送信する緊急制御を可能にする構成としているワイヤレス発信器。
【請求項３】
請求項１〜２のいずれかにおいて、
電源の駆動を制御する信号処理部を備えており、この信号処理部は、所定のワイヤレス送信出力をした後に、電源を強制的に遮断する構成としているワイヤレス発信器。
【請求項４】
請求項１〜３のいずれかにおいて、
上記電源スイッチ、上記制御スイッチ、上記緊急停止スイッチが、いずれも押釦スイッチとして構成されているワイヤレス発信器。
【請求項５】
請求項１〜４のいずれかにおいて、
上記ワイヤレス発信器が、ガレージのシャッターを開閉制御するワイヤレスリモコンであるワイヤレス発信器。
【発明の詳細な説明】
【０００１】
【発明の属する技術分野】
本発明は、ガレージのシャッターの開閉制御などに好適に使用されるワイヤレス発信器に関する。
【０００２】
【従来の技術】
従来からワイヤレス発信器は、シャッターの開閉制御や照明器具の点灯制御、セキュリティーシステムの救急発信器として利用されている。ここで、このワイヤレス発信器をガレージのシャッターの開閉制御に使用する場合を説明すると、この発信器をキーホルダータイプとし、制御スイッチを操作することによって、ワイヤレス信号を送信し、これを受信したワイヤレス受信器によって、この受信器に接続したシャッターを開閉動作させている。
【０００３】
このようにすることで、ガレージの壁面などに設けられた操作スイッチを直接操作しなくても、乗車したままでワイヤレス発信器を操作すれば、シャッターの開閉ができるので、大変便利となっている。
【０００４】
【発明が解決しようとする課題】
ところが、上記従来のワイヤレス発信器は、操作性のみを重視しているため、制御スイッチしか備えておらず、そのため、この発信器を、例えばポケットやバッグ等に入れているときに、外部からの衝撃や、ポケット等に一緒に入れている物が触れることによって、制御スイッチが誤って操作され、シャッターなどを誤動作させる場合があった。したがって、事故につながる危険性があり、その改善が検討されていた。
【０００５】
また、制御スイッチが操作された状態で長時間放置された場合には、多くの電力が消費され、電池の寿命を短くする原因となっていた。そこで、本発明は上記の事情に鑑みてなされたものであり、制御スイッチの操作を必要なときにのみ可能として、シャッター等の制御対象機器が誤動作しないようにし、また、緊急時には、上記機器が即座に制御できるようにしたワイヤレス発信器を提供することを目的としている。
【０００６】
【課題を解決するための手段】
上記目的を達成するため、本発明の請求項１に記載のワイヤレス発信器は、電源スイッチと、制御スイッチと、緊急停止スイッチとを設けており、上記電源スイッチが操作されたときには、所定の制御可能時間の間は、電源を駆動状態に保持して、その制御可能時間の間に、上記制御スイッチが操作されたときには、制御対象機器の動作に対応したワイヤレス信号を送信する制御動作を可能にする一方、上記緊急停止スイッチが操作されたときには、電源を自動的に立ち上げて、緊急停止制御のワイヤレス信号を送信する緊急制御を可能にする。しかも、このワイヤレス発信器では、緊急スイッチを、制御動作を緊急停止させる緊急停止スイッチとしている。したがって、所定の制御可能時間が経過すれば、電源部の駆動は停止し、制御スイッチを操作しても制御動作はなされず、緊急スイッチが操作されたときには、電源を自動的に立ち上げて、制御を可能とするので、電源スイッチを操作しなくても、緊急スイッチを操作するだけで、電源部を駆動状態にし、緊急時の制御動作が可能になり、その制御動作として、シャッターの開閉動作を停止できる。
なお、ワイヤレス発信器には、ガレージシャッターの開閉制御のためのリモコンや、救急発信器などがある。
【０００８】
請求項２に記載のワイヤレス発信器では、電源スイッチと、制御スイッチとを設けており、上記電源スイッチが操作されたときには、所定の制御可能時間の間は、電源を駆動状態に保持して、その制御可能時間の間に、上記制御スイッチが操作されたときには、制御対象機器の動作に対応したワイヤレス信号を送信する制御動作を可能にする一方、上記電源スイッチが操作されていない電源未投入状態で、上記制御スイッチが操作されたときには、電源を自動的に立ち上げて、緊急停止制御のワイヤレス信号を送信する緊急制御を可能にする。これによって、制御スイッチを緊急スイッチとしても使用でき、また、制御スイッチを使用して、別の新たな緊急スイッチの機能を実現させることもできる。
【０００９】
請求項３に記載のワイヤレス発信器は、電源の駆動を制御する信号処理部を備えており、この信号処理部は、所定のワイヤレス送信出力をした後は、電源を強制的に遮断する。これによって、電源スイッチの操作後に制御スイッチを操作し、制御動作を行った後に、所定の制御可能時間内であっても電源を遮断することができる。また、緊急スイッチの操作後も即座に電源を遮断できる。
【００１０】
請求項４に記載のワイヤレス発信器では、電源スイッチ、制御スイッチ、緊急停止スイッチが、いずれも押釦スイッチとして構成される。これによって、各スイッチは、操作が容易となり、また、防水効果をあげることもできる。請求項５に記載のワイヤレス発信器は、ガレージのシャッターを開閉制御するワイヤレスリモコンとして構成される。
【００１１】
【発明の実施の形態】
以下に、本発明の実施の形態を図面とともに説明する。
図１は、本発明に係るワイヤレス発信器の内部構成の一例を示したブロック図である。なお、ここでは、このワイヤレス発信器１が、ガレージのシャッターを開閉制御するワイヤレスリモコンの場合を示している。
【００１２】
このワイヤレス発信器１は、発信器全体の制御を行う信号処理部であるＣＰＵ１１と、発振部１２と、てい倍部１３と、変調部１４と、個々のワイヤレス発信器１のＩＤ番号を予め記憶したＩＤメモリー部１５と、ワイヤレス信号を送信する１または複数のアンテナ１６と、電源タイマー１７と、電池を内蔵した電源部１８と、各種操作スイッチＳＷ１〜ＳＷ４とを備える。
【００１３】
各種操作スイッチには、電源スイッチＳＷ１と、電源を自動的に投入するとともに、制御動作を緊急停止させる緊急停止スイッチＳＷ２と、制御スイッチであるシャッターの開スイッチＳＷ３及び閉スイッチＳＷ４などがある。なお、緊急停止スイッチＳＷ２を操作したときには、ワイヤレス信号を送信するために電源を投入するが、このとき同時に電源スイッチＳＷ１を機械的に連動させるようにしてもよい。
【００１４】
このような構成により、ワイヤレス発信器１は以下のように動作する。
図２の（ａ）〜（ｅ）は、その基本動作の一例を示したタイミングチャートである。電源スイッチＳＷ１が操作されたとき、例えば、電源スイッチＳＷ１が時間ｔ１（例えば３０ミリ秒）の間、操作されたときには、ＣＰＵ１１は、電源タイマー１７を起動する。すると、電源部１８は所定の制御可能時間Ｔ（例えば５秒）の間だけオン状態となって、各部に電源を供給する。このような状態になれば、制御可能時間Ｔの間は、制御スイッチＳＷ３，ＳＷ４の操作による制御動作が可能となる。
【００１５】
なお、制御可能時間Ｔが経過するまでに、制御スイッチＳＷ３，ＳＷ４が操作されたときには、電源タイマー１７をリトリガして、電源部１８による電源供給を自動的に延長させる構成としてもよい。制御スイッチＳＷ３，ＳＷ４が、制御可能時間Ｔの間に、例えば時間ｔ２（例えば８０ミリ秒）の間、操作されると、ＣＰＵ１１はアンテナ１６を介し、制御スイッチＳＷ３，ＳＷ４のそれぞれに予め対応して構成されたワイヤレス信号を、ＩＤ番号を付加して、フレーム単位（例えば、所要時間３２０ミリ秒）で２フレーム（ｆ１，ｆ２）送信する。また、２フレームの信号（ｆ１１，ｆ１２）の送信終了前に、時間ｔ３（例えば８５ミリ秒）の間、制御スイッチＳＷ３，ＳＷ４が操作されると、更に２フレームの信号（ｆ１３，ｆ１４）を送信する。
【００１６】
これによって、制御可能時間Ｔの間、開スイッチＳＷ３を操作してシャッターを開くようにし、あるいは、閉スイッチＳＷ４を操作してシャッターを閉じるように動作させることができる。その後、制御可能時間Ｔが経過すれば、電源タイマー１７はオフ状態になり、電源部１８は電源供給を停止するので、ＣＰＵ１１は、開スイッチＳＷ３あるいは閉スイッチＳＷ４を操作しても、シャッターの制御動作ができないようになる。したがって、シャッターの誤動作が防げるとともに、電池の無駄な消費を防げる。
【００１７】
一方、緊急停止スイッチＳＷ２が操作されたとき、例えば、緊急停止スイッチＳＷ２が時間ｔ４（例えば９０ミリ秒）の間、操作されたときには、２フレームの緊急停止制御のワイヤレス信号（ｆ２１，ｆ２２）を送信すべく、電源タイマー１７を起動して、電源部１８を自動的に立ち上げ、駆動状態に保持する。また、２フレームの信号（ｆ３１，ｆ３２）の送信終了前に、時間ｔ５（例えば８５ミリ秒）の間、緊急停止スイッチＳＷ２が操作されると、更に２フレームの信号（ｆ３３，ｆ３４）が送信される。
【００１８】
これによって、電源スイッチＳＷ１を操作しなくても、誤動作などによって開閉中であるシャッターの動作を停止させることができる。なお、この緊急停止スイッチＳＷ２の操作は、制御可能時間Ｔとは関係なく、開スイッチＳＷ３あるいは閉スイッチＳＷ４によって開閉動作しているシャッターにも有効である。また、ここでは、緊急停止制御の信号の送信が終了すれば、これと同時に、ＣＰＵ１１によって電源が遮断されるようになっているが、本発明はこれには限定されず、送信出力がされる度に電源タイマー１７による計時時間を延長させ、計時時間が終了すれば、電源を遮断させるようにしてもよい。
【００１９】
次に、図３の（ａ）〜（ｅ）に別の動作の一例をタイミングチャートで示す。この例は、制御スイッチＳＷ３，ＳＷ４、あるいは、緊急停止スイッチＳＷ２が一定時間以上、保持されている場合であり、かつ、制御可能時間Ｔ内からこの時間の経過後にかけて、制御スイッチＳＷ３，ＳＷ４が連続して操作されているときは、この操作中は、制御可能時間Ｔを延長する場合を示している。
【００２０】
電源スイッチＳＷ１が操作されたときには、所定の制御可能時間Ｔの間だけ、電源を駆動状態に保持するが、ここで、制御スイッチＳＷ３，ＳＷ４が操作され続けていれば、図２に示した動作に従って制御信号を送信する。
図２に従えば、制御信号のフレームは送信出力され続けることになるが、ここでは、制御スイッチＳＷ３，ＳＷ４が時間Ｔ１の間、操作され続けたとしても、例えば１６フレームの制御信号を送信すれば、送信を終了し電源の駆動を停止している。また、緊急停止スイッチＳＷ２が時間Ｔ２の間、操作され続けたとしても、例えば１６フレームの緊急制御信号を送信すれば、送信を終了し電源の駆動を停止する。
【００２１】
これによって、本図例でも、電源スイッチＳＷ１の操作後に、誤操作などによって制御スイッチＳＷ３，ＳＷ４が操作され続けたり、発信器１がポケットなどに入っている状態で、誤って緊急停止スイッチＳＷ２が操作され続けたときでも、ＣＰＵ１１は、所定の長さの信号だけ送信すれば電源部１８の駆動を強制的に停止するので、電池の無駄な消費を防ぐことが出来る。
【００２２】
次に、ワイヤレス発信器１の構造について、図４の外観図とともに説明する。同図（ａ）は正面図、（ｂ）には右側面図、（ｃ）には左側面図、（ｄ）には上面図、（ｅ）には底面図、（ｆ）には背面図を示している。
この発信器１の正面には、シャッターの制御スイッチである開スイッチＳＷ３（三角印）と閉スイッチＳＷ４（逆三角印）、緊急停止スイッチＳＷ２（四角印）を備え、左側面には電源スイッチＳＷ１（「ＯＮ」）を備える。これらのスイッチは押釦スイッチで構成されているので、スライド式スイッチで構成する場合と比べ、発信器１の小型化が図れるとともに、隙間がない構造に製造できるため防水性を有することが可能となる。
【００２３】
なお、この発信器１を、緊急スイッチの一形態である緊急停止スイッチＳＷ２を備えない構成とし、制御スイッチＳＷ３，ＳＷ４を操作することによって、緊急停止スイッチＳＷ２を操作したように機能させてもよい。この場合、電源スイッチＳＷ１が操作されていない電源未投入状態で、制御スイッチＳＷ３，ＳＷ４を操作したときに、電源を自動的に立ち上げ、緊急制御が可能となるようにすればよい。
【００２４】
また、正面にはＬＥＤ等で構成された発信灯Ｌを備えており、電源スイッチＳＷ１操作後の制御スイッチＳＷ３，ＳＷ４の操作や、緊急停止スイッチＳＷ２の操作が、点灯や点滅などで確認できるようになっている。更に、底面にはキーホルダー接続部２０を備え、キーホルダーやペンダント用の紐などを取り付けて発信器１が携帯しやすいようにするとともに、背面には電池を交換するために開閉する電池カバー２１を設ける。この電池カバー２１は溝２１ａにコインなどを差し込んで、回転させることによって開閉され、電池カバー２１に記されたマーク２１ｂと、発信器１の本体側に設けられたマーク２１ｃを合わせれば、電池カバー２１の閉状態が確認できる。
【００２５】
以上、ワイヤレス発信器１がガレージのシャッターを開閉制御するワイヤレスリモコンである場合について説明した。
しかしながら、本発明はこれには限定されず、例えば、セキュリティーシステムの救急発信器や、他の制御機器などにも多目的に採用できる。救急発信器では、緊急停止スイッチＳＷ２は、身体に異常が発生した場合に操作する緊急スイッチとなり、電源タイマー１７に連動させた制御スイッチＳＷ３，ＳＷ４を連絡用スイッチとして機能させればよい。
【００２６】
また、他の制御機器では、シャッターを開閉制御させるワイヤレスリモコンの場合と同様に、制御スイッチＳＷ３，ＳＷ４を安全に動作させる場合に操作し、緊急スイッチＳＷ２を危険動作に対応する場合に操作すればよい。
【００２７】
【発明の効果】
以上の説明から理解できるように、本発明のワイヤレス発信器によれば、次のような効果がある。
すなわち、請求項１に記載のワイヤレス発信器によれば、電源スイッチを操作した後でなければ、制御スイッチの操作が有効とならないので、ポケットに入れているときの衝撃や、ポケットに一緒に入れている物の接触などによって、発信器の制御スイッチが誤って操作されても、制御動作がされることがない。また、所定の制御可能時間が経過すれば、電源の駆動は停止するので、電源が投入されたままになることがなく、制御スイッチが操作され続けた場合でも、電池の消耗を抑制することができる。
【００２８】
更に、緊急スイッチを操作したときには、電源を自動的に立ち上げるので、電源スイッチの操作とは無関係に、緊急時の制御動作を可能とする。このワイヤレス発信器では、その緊急スイッチは緊急停止スイッチとして構成されるので、この緊急停止スイッチを操作して、シャッターなどの動作を緊急停止させることができる。よって、発信器の誤操作などにより、シャッターなどの制御対象機器が作動し危険な状態になったとしても、この作動を停止させ事故の発生を防ぐことができる。
【００２９】
請求項２に記載のワイヤレス発信器によれば、電源が投入されていないときに制御スイッチを操作すれば、緊急制御が可能となるので、制御スイッチとは別に緊急スイッチを備える必要がなく、発信器の小型化が図れる。また、緊急スイッチを複数備えたい場合でも、発信器には、制御スイッチを含めた数のスイッチを構成するだけでよい。
【００３０】
請求項３に記載のワイヤレス発信器によれば、所定のワイヤレス送信が終了すれば、電源は強制的に遮断されるので、電池の無駄な消耗が防げる。請求項４に記載のワイヤレス発信器によれば、電源スイッチ、制御スイッチ、緊急停止スイッチの各スイッチは、押釦スイッチで構成されるので、操作が簡単で、発信器の小型化が図れるため携帯しやすく、防水性を有することも可能となる。
【００３１】
請求項５に記載のワイヤレス発信器によれば、ガレージのシャッターを、誤動作させることなく開閉制御できるとともに、誤動作した場合でも、シャッターの開閉を緊急停止させることができる。
【図面の簡単な説明】
【図１】本発明に係るワイヤレス発信器の内部構成の一例を示すブロック図である。
【図２】（ａ）〜（ｅ）は、本発明に係るワイヤレス発信器の基本動作の一例を示すタイミングチャートである。
【図３】（ａ）〜（ｅ）は、本発明に係るワイヤレス発信器の別の動作の一例を示すタイミングチャートである。
【図４】（ａ）〜（ｆ）は、本発明に係るワイヤレス発信器の一例を示す外観図である。
【符号の説明】
１・・・本発明に係るワイヤレス発信器
１１・・・ＣＰＵ（信号処理部）
１７・・・電源タイマー
１８・・・電源部
ＳＷ１・・・電源スイッチ
ＳＷ２・・・緊急停止スイッチ（緊急スイッチ）
ＳＷ３・・・開スイッチ（制御スイッチ）
ＳＷ４・・・閉スイッチ（制御スイッチ）
Ｔ・・・所定の制御可能時間
【図１】
0003694097.tif 000002
【図２】
0003694097.tif 000003
【図３】
0003694097.tif 000004
【図４】
0003694097.tif 000005